(57)【要約】【課題】引き残し寸法の設定に関わらず確実に虫等の侵入を防止することができる建具を提供すること。【解決手段】障子２０を開放した状態において、室外側障子２０Ｂの第２縦框２３Ｂと縦枠１４との引き残し部を副網戸４０で覆うことで、引き残し部の隙間から虫や埃等が室内側へ入り込むことが防止できる。そして、第２縦框２３Ｂと縦枠１４とを副網戸４０で接続したことで、室外側障子２０Ｂの第２縦框２３Ｂと室内側障子２０Ａの第４縦框２３Ｄとの隙間や、室内側障子２０Ａの第４縦框２３Ｄと縦枠１４との隙間部分を個別に覆う必要がなくなり、部品点数を削減することができる。【選択図】図３
2008013978.tif 000002
【特許請求の範囲】
【請求項１】
外壁開口部に設けられた枠体と、この枠体にスライド開閉可能に支持された少なくとも１枚の面材と、この面材を開放した際に一端側に形成される開口を覆う網戸とを備えた建具であって、
前記開放された面材の他端側端縁と、この他端側端縁に対向する前記枠体の枠材とを覆う防虫部材を備える建具。
【請求項２】
前記防虫部材は、前記枠体に固定されている請求項１に記載の建具。
【請求項３】
前記防虫部材は、前記網戸と同一見込み位置にて前記枠体に支持され、当該防虫部材の室内側側面と前記面材の戸尻側端縁の室外側側面とが摺接可能に設けられている請求項１または請求項２に記載の建具。
【請求項４】
前記防虫部材および前記網戸は、互いに同種の框材を四周框組みした矩形枠に同種の網を取り付けて形成されている請求項１から請求項３のいずれかに記載の建具。
【請求項５】
前記枠体は、上枠、下枠および左右の縦枠を有した窓枠と、この窓枠内部の片側に設けられた障子収納部とを有して構成され、前記面材は、上框、下框および左右の縦框を各々有した室内側障子と室外側障子とからなる一対の障子で構成され、
前記一対の障子が前記障子収納部側に引き込まれて開放され、この障子の開放状態において、前記室外側障子の戸尻側の縦框と前記障子収納部側の縦枠とが前記防虫部材で接続される請求項１から請求項４のいずれかに記載の建具。
【発明の詳細な説明】
【技術分野】
【０００１】
本発明は、建具に関し、詳しくは、窓枠にスライド開閉可能に支持された障子と、この障子を開放した際に形成される開口を覆う網戸とを備えた建具に関する。
【背景技術】
【０００２】
従来、スライド開閉自在な障子の室外側に配設され、障子を開放して形成される開口を閉鎖する網戸を有し、この網戸により室内への虫や埃等の侵入を防止しつつ通気可能に構成された建具が一般的に利用されている。このような建具として、片寄せ二枚引き形式あるいは片寄せ三枚引き形式などの全開タイプの建具（サッシ窓）が提案されている（例えば、特許文献１参照）。
特許文献１に記載された建具は、窓枠に左右スライド自在に支持された室内外一対２枚（あるいは３枚）の障子と、これらの障子の室外側にて窓枠に左右スライド自在に支持された２枚（あるいは３枚）の網戸とを備えて構成されている。そして、前記各障子は、窓枠における左右一方の障子収納部側に片寄せして開放可能に構成されており、このように障子を全開することで形成される開口が前記各網戸で閉鎖されるようになっている。一方、障子を閉鎖した状態において、前記各網戸は、障子収納部側に片寄せして内外に重ねて収納することで、室内側から見えないようになっている。
【０００３】
【特許文献１】特開２００６−７０５７７号公報
【発明の開示】
【発明が解決しようとする課題】
【０００４】
しかしながら、特許文献１に記載されたような従来の建具では、障子を全開した状態において、形成される開口（室外側障子の戸先側縦框と、これに当接可能な縦枠との間）を網戸で閉鎖したとしても、室内外の各障子の戸尻側縦框と障子収納部側の縦枠との隙間や、室内外の各障子の戸尻側縦框同士の隙間を介して室内外の空間が連通され、虫や埃等が室内側に入り込む可能性があるという問題がある。すなわち、このような建具では、通常、開放された障子の戸尻側縦框と縦枠とが衝突しないように、あるいは、戸先側縦框に設けた開閉操作用ハンドルが縦枠や他方の障子の戸先側縦框に衝突しないように、適宜な引き残し寸法が設定され、その設定位置において障子ストッパー等で開放移動が規制されるようになっている。このため、戸尻側縦框と縦枠との間に隙間が形成されるとともに、室外側障子の引き残し寸法を大きく設定した場合には、室内外の戸尻側縦框同士の間にも隙間が形成されてしまうこととなり、これらの隙間が虫等の侵入経路となってしまうことがある。
【０００５】
本発明の目的は、引き残し寸法の設定に関わらず確実に虫等の侵入を防止することができる建具を提供することにある。
【課題を解決するための手段】
【０００６】
本発明の建具は、外壁開口部に設けられた枠体と、この枠体にスライド開閉可能に支持された少なくとも１枚の面材と、この面材を開放した際に一端側に形成される開口を覆う網戸とを備えた建具であって、前記開放された面材の他端側端縁と、この他端側端縁に対向する前記枠体の枠材とを覆う防虫部材を備えることを特徴とする。
【０００７】
ここで、本発明の建具としては、引違い形式や片引き形式、二枚建てや三枚建ての片引込み形式、二枚建てや四枚建ての両引分け形式等、各種開閉形式によって面材としての障子や戸板が左右にスライド開閉されるサッシ窓や戸を含み、さらに面材が上下にスライド開閉される上げ下げ窓をも含んだものである。
また、防虫部材としては、枠材または面材の他端側端縁と一体に形成されたものでもよく、これらと別体で形成されて枠体や面材に取り付けられたものでもよい。そして、防虫部材と枠材および面材の他端側端縁とは、虫や埃等が通過不能な程度に防虫部材で覆われていればよく、例えば、モヘアやＡＴ材等を介して当接または摺接する接続構造が適用可能である。
【０００８】
以上の本発明によれば、面材を開放した状態において、その他端側端縁と、これに対向する枠材とが防虫部材で覆われているので、他端側端縁と枠材との隙間から虫や埃等が室内側へ入り込むことが防止できる。そして、面材の枚数や、面材の開閉操作用ハンドルの有無等によって面材の引き残し寸法を適宜設定した場合、すなわち面材の他端側端縁と枠材との隙間寸法が変化した場合でも、面材の幅寸法や枠体の各枠材見付け寸法等を変更する必要がなく、この引き残し寸法に応じた幅寸法で防虫部材を形成するだけで容易に対応することができる。従って、各種の製品バリエーションごとに面材や枠材を設計、製造し直す必要がなく、部品の共通化が促進できて製造コストの低減を図ることができる。
【０００９】
この際、本発明の建具では、前記防虫部材は、前記枠体に固定されていることが好ましい。
このような構成によれば、防虫部材を枠体に固定する、つまり面材の他端側に防虫部材を設ける構成ではないため、片引込み窓や四枚建ての両引き分け窓等において、面材を閉じた状態で防虫部材が目立たず、建具の意匠性を良好にすることができる。
【００１０】
さらに、前記防虫部材は、前記網戸と同一見込み位置にて前記枠体に支持され、当該防虫部材の室内側側面と前記面材の戸尻側端縁の室外側側面とが摺接可能に設けられていてもよい。
また、前記防虫部材および前記網戸は、互いに同種の框材を四周框組みした矩形枠に同種の網を取り付けて形成されたものでもよい。
このような構成によれば、網戸と防虫部材とを同一見込み位置に配設したり、同種の框材および網で形成したりすることで、これらの外観の共通化を図ることができ、より一層建具の意匠性を向上させることができる。
【００１１】
また、本発明の建具では、前記枠体は、上枠、下枠および左右の縦枠を有した窓枠と、この窓枠内部の片側に設けられた障子収納部とを有して構成され、前記面材は、上框、下框および左右の縦框を各々有した室内側障子と室外側障子とからなる一対の障子で構成され、前記一対の障子が前記障子収納部側に引き込まれて開放され、この障子の開放状態において、前記室外側障子の戸尻側の縦框と前記障子収納部側の縦枠とが前記防虫部材で接続されることが好ましい。
このような構成によれば、前述と同様の作用効果を奏することができる二枚建て片引込み形式の窓を構成することができる。そして、室外側障子の戸尻側の縦框に防虫部材を接続したことで、この縦框と縦枠との隙間のみならず、室外側障子および室内側障子の戸尻側の縦框同士の隙間、および室内側障子の戸尻側の縦框と縦枠との隙間を、１つの防虫部材で同時に覆うことができる。
【発明を実施するための最良の形態】
【００１２】
以下、本発明の実施形態を図面に基づいて説明する。
図１は、本発明の実施形態に係る建具である二枚建ての片引込み窓１を示す縦断面図である。図２、図３および図４(Ａ)，(Ｂ)は、それぞれ片引込み窓１の横断面図であり、図２および図４(Ａ)は、障子２０を閉じた状態を示し、図３および図４(Ｂ)は、障子２０を開放した状態を示すものである。なお、図２および図３は、片引込み窓１の左右方向途中部分を適宜省略して図示したものであり、図４(Ａ)，(Ｂ)は、途中部分を省略せずに図示したものである。
【００１３】
図１〜図４において、片引込み窓１は、外壁２に形成された開口部３の室外側に固定された枠体としての窓枠１０と、この窓枠１０に支持された室内外一対の面材としての障子２０（室内側障子２０Ａおよび室外側障子２０Ｂ）と、これらの障子２０の室外側にて窓枠１０に支持された室内外一対の網戸３０（室内側網戸３０Ａおよび室外側網戸３０Ｂ）とを備えて構成されている。室内側障子２０Ａおよび室外側障子２０Ｂは、図２および図４(Ａ)に示す閉鎖位置から図３および図４(Ｂ)に示す開放位置までの間を左右スライド開閉可能に構成されている。一方、室内側網戸３０Ａおよび室外側網戸３０Ｂは、互いに引き違い状に左右スライド開閉可能に構成されており、図３および図４(Ｂ)に示すように、障子２０を開放位置に開放した際に室外側障子２０Ｂと窓枠１０とで形成される開口１０Ａを網戸３０で覆うことにより、開口１０Ａからの虫や埃等の室内側への侵入を防止しつつ網戸３０を介した通気が可能になっている。また、窓枠１０には、開放位置にある室外側障子２０Ｂと窓枠１０の縦枠１４とを接続し、これらの隙間から室内側へ虫等が侵入することを防止する防虫部材としての副網戸４０が設けられている。
【００１４】
窓枠１０は、上枠１１、下枠１２、および左右の縦枠１３，１４を四周枠組みするとともに、上枠１１と下枠１２との間に縦骨１５を架設して横向き略日の字形に形成されている。上枠１１は、開口部３を構成する上周縁部である額縁材（不図示）の室外側に沿って設けられ、下枠１２は、開口部３を構成する下周縁部である床材４の室外側に沿って設けられている。また、左右の縦枠１３，１４のうち、一方の縦枠１３は、外壁２の開口部３を構成する一方の縦周縁部である額縁材５の室外側に沿って設けられ、他方の縦枠１４は、外壁２の壁面に沿って設けられ、縦骨１５は、開口部３を構成する他方の縦周縁部である額縁材６の室外側に沿って設けられている。そして、これらの上枠１１、下枠１２、左右の縦枠１３，１４および縦骨１５は、それぞれ外壁２を構成する躯体としての壁パネル２Ａにビス止め固定されている。また、縦骨１５と他方の縦枠１４との間には、壁パネル２Ａの室外側に沿った外装パネル１６が取り付けられており、この外装パネル１６の室外側に障子２０を収納する障子収納部１７が形成されている。
【００１５】
一方、図１に示すように、上枠１１の長手方向略全長には、室内側障子２０Ａおよび室外側障子２０Ｂの上框２１（後述）をそれぞれ案内する上障子レール１１Ａ，１１Ｂと、室内側網戸３０Ａおよび室外側網戸３０Ｂの上框３１（後述）をそれぞれ案内する上網戸レール１１Ｃ，１１Ｄとが形成されている。そして、副網戸４０の上框４１（後述）も上網戸レール１１Ｃに係止されるようになっている。また、下枠１２の長手方向略全長には、室内側障子２０Ａおよび室外側障子２０Ｂの下框２２の戸車２２１（後述）をそれぞれ案内する下障子レール１２Ａ，１２Ｂと、室内側網戸３０Ａおよび室外側網戸３０Ｂの下框３２の戸車３２１（後述）をそれぞれ案内する下網戸レール１２Ｃ，１２Ｄとが形成されている。そして、副網戸４０の下框４２（後述）も下網戸レール１２Ｃに係止されるようになっている。さらに、下枠１２（または上枠１１）の縦枠１４側端部近傍には、室内側障子２０Ａの第４縦框２３Ｄ（後述）下端部（または上端部）に当接することで、当該室内側障子２０Ａが開放位置を超えて移動しないように規制する障子ストッパ１２１が設けられている。
【００１６】
障子２０は、上框２１、下框２２、および左右の縦框２３を四周框組みした内部にガラスパネル２４を嵌め込んで形成されており、室外側障子２０Ｂの縦框２３は、図２〜図４における左側（戸先側）の第１縦框（戸先框）２３Ａと右側（戸尻側）の第２縦框（戸尻框であり召合せ框）２３Ｂとから構成され、室内側障子２０Ａの縦框２３は、図２〜図４における左側の第３縦框（召合せ框）２３Ｃと右側の第４縦框（戸尻框）２３Ｄとから構成されている。そして、障子２０は、図２および図４(Ａ)に示す閉鎖位置において、第１縦框２３Ａが縦枠１３に当接し、第２縦框２３Ｂと第３縦框２３Ｃとが見込み方向に重なり、第４縦框２３Ｄが縦骨１５の室外側に当接した状態で閉じるようになっている。また、障子２０は、図３および図４(Ｂ)に示す開放位置において、障子収納部１７側にスライド移動されて第１縦框２３Ａが縦骨１５の室外側に重なった状態で開放されるようになっている。そして、室外側障子２０Ｂの上框２１（または下框２２）には、室内側障子２０Ａの第３縦框２３Ｃに当接することで、当該室外側障子２０Ｂが開放位置を超えて移動しないように規制する障子ストッパ２１１が設けられている。
【００１７】
網戸３０は、上框３１、下框３２、および左右の縦框３３を四周框組みした室外側にネット（網）３４を取り付けて形成されている。一方、副網戸４０は、網戸３０と同様に、上框４１、下框４２、および左右の縦框４３を四周框組みした室外側にネット（網）４４を取り付けて形成され、これらの上框４１、下框４２、縦框４３およびネット４４は、網戸３０の上框３１、下框３２、縦框３３およびネット３４とそれぞれ共通部材から構成されている。これらの室内側網戸３０Ａは、上網戸レール１１Ｃおよび下網戸レール１２Ｃに案内されて左右スライド開閉可能に支持され、室外側網戸３０Ｂは、上網戸レール１１Ｄおよび下網戸レール１２Ｄに案内されて左右スライド開閉可能に支持されるのに対し、副網戸４０は、上網戸レール１１Ｃおよび下網戸レール１２Ｄに係止されるとともに縦枠１４に固定されて移動不能に支持されている。
【００１８】
そして、網戸３０は、図２および図４(Ａ)に示すように、障子２０の閉鎖状態において、障子収納部１７に引き込んで重ねて収納しておくことで室内側から見えないようになっている。一方、図３および図４(Ｂ)に示すように、障子２０の開放状態において、室外側網戸３０Ｂの一方の縦框３３が縦枠１３に当接し、室内側網戸３０Ａの他方の縦框３３が室外側障子２０Ｂの第１縦框２３Ａに摺接することで、開口１０Ａが網戸３０によって覆われるようになっている。また、障子２０の開放状態において、副網戸４０の一方の縦框４３が室外側障子２０Ｂの第２縦框２３Ｂの室外側側面に摺接することで、障子２０（面材）の戸尻側端縁である第２縦框２３Ｂと縦枠１４とが副網戸４０で接続され、これらの隙間が副網戸４０によって覆われるようになっている。
【００１９】
次に、片引込み窓１における障子２０、網戸３０および副網戸４０の各部寸法について図４に基づいて説明する。
先ず、室内側障子２０Ａおよび室外側障子２０Ｂの幅寸法Ｗ1 ，Ｗ2 は、互いに略同一とされ、開口１０Ａの幅寸法を略二等分した寸法とされている。これにより、室内側障子２０Ａおよび室外側障子２０Ｂがそれぞれ有するガラスパネルのサイズが共通化されるようになっている。そして、室内側障子２０Ａが開放されて障子ストッパ１２１により位置規制された状態において、戸尻側の縦框（第４縦框２３Ｄ）と、これに対向する縦枠１４との隙間寸法（引き残し寸法）がＡ1 であり、室外側障子２０Ｂの戸尻側の縦框（第２縦框２３Ｂ）と、これに対向する縦枠１４との引き残し寸法がＡ2 である。従って、障子収納部１７の幅寸法は、室外側障子２０Ｂの幅寸法Ｗ2 と引き残し寸法がＡ2 とを合わせた寸法に設定されている。また、室外側障子２０Ｂの引き残し寸法Ａ2 と室内側障子２０Ａの引き残し寸法Ａ1 との差は、縦框２３の幅寸法（見付け寸法）よりも大きく設定され、すなわち開放位置にある室内側障子２０Ａおよび室外側障子２０Ｂにおいて、第２縦框２３Ｂと第４縦框２３Ｄとの間、および第１縦框２３Ａと第３縦框２３Ｃとの間に隙間が形成されるようになっている。
【００２０】
次に、室内側網戸３０Ａおよび室外側網戸３０Ｂの幅寸法Ｗ3 ，Ｗ4 を合わせて開口１０Ａの幅寸法と略等しくなるように設定（Ｗ3＋Ｗ4＝Ｗ1＋Ｗ2）され、かつ室内側網戸３０Ａの幅寸法Ｗ3 は、室外側網戸３０Ｂの幅寸法Ｗ4 よりも副網戸４０の幅寸法Ｗ5 だけ短く設定（Ｗ3＋Ｗ5＝Ｗ4）されている。従って、図４(Ａ)に示すように、網戸３０を障子収納部１７に引き込んだ状態において、同一見込み位置に並んだ室内側網戸３０Ａおよび副網戸４０の室外側に室外側網戸３０Ｂが重なって収納されるようになっている。また、図４(Ｂ)に示すように、副網戸４０の幅寸法Ｗ5 は、室外側障子２０Ｂの引き残し寸法Ａ2 よりも若干大きく設定（Ｗ5＞Ａ2）されており、室外側障子２０Ｂを開放した状態で第２縦框２３Ｂと副網戸４０の縦框４３とが確実に摺接するようになっている。
【００２１】
このような本実施形態によれば、以下のような効果がある。
（１）すなわち、障子２０を開放した状態において、室外側障子２０Ｂの第２縦框２３Ｂと縦枠１４との引き残し部が副網戸４０で覆われるので、引き残し部の隙間から虫や埃等が室内側へ入り込むことが防止できる。そして、第２縦框２３Ｂと縦枠１４とを副網戸４０で接続したことで、室外側障子２０Ｂの第２縦框２３Ｂと室内側障子２０Ａの第４縦框２３Ｄとの隙間や、室内側障子２０Ａの第４縦框２３Ｄと縦枠１４との隙間部分を、個別に覆う防虫部材が不要になって部品点数を削減することができる。
【００２２】
（２）また、室内側障子２０Ａや室外側障子２０Ｂに操作用ハンドルを設けるなどして、引き残し寸法Ａ1 ，Ａ2 を変更した場合であっても、この引き残し寸法Ａ2 に応じた幅寸法Ｗ5 で副網戸４０を形成するだけで対応でき、障子２０の幅寸法Ｗ1 ，Ｗ2 を変更する必要がないため、各種の製品バリエーションごとに障子２０や窓枠１０を設計、製造し直す必要がなく、部品の共通化が促進できて製造コストの低減を図ることができる。
【００２３】
（３）さらに、開放時における室外側障子２０Ｂおよび室内側障子２０Ａの互いの戸尻側縦框（第２縦框２３Ｂと第４縦框２３Ｄ）同士に隙間が形成されていたとしても、副網戸４０によって虫等の侵入が防止できるので、戸尻側縦框同士に隙間を形成させないために室外側障子２０Ｂの幅寸法Ｗ2 を室内側障子２０Ａの幅寸法Ｗ1よりも大きく形成する必要がなく、各障子２０の幅寸法を揃えてガラスパネル２４のサイズを同一にすることができ、さらなる製造コストの低減を図ることができる。
【００２４】
（４）また、副網戸４０が障子収納部１７側の縦枠１４位置に固定されているため、この副網戸４０が目立たず、特に室内側から見えることがないので、片引込み窓１の意匠性を良好にすることができる。さらに、網戸３０と副網戸４０とが共通の框材３１，３２，３３，４１，４２，４３およびネット３４，４４で形成されているとともに、網戸３０を障子収納部１７に収納した状態において、室内側網戸３０Ａおよび副網戸４０と室外側網戸３０Ｂとが見込み方向に重なって収納されるので、片引込み窓１の外観意匠性を向上させることができる。
【００２５】
なお、本発明は、前記実施形態に限定されるものではなく、本発明の目的が達成できる他の構成等を含み、以下に示すような変形等も本発明に含まれる。
例えば、前記実施形態においては、二枚建ての片引込み窓１を例示したが、本発明の建具はこのような開閉形式に限られず、引違い形式や片引き形式、三枚建ての片引込み形式、二枚建てや四枚建ての両引分け形式等、各種開閉形式のものでもよく、また、面材が上下にスライド開閉される上げ下げ窓であってもよい。
【００２６】
すなわち、本発明の建具が三枚建ての片引込み形式の建具であれば、室内側障子と、室外側障子と、これらの間に設けられた中間障子とからなる三枚の障子が障子収納部側に引き込まれて開放され、この開放状態において、室外側障子の戸尻側の縦框と障子収納部側の縦枠とを防虫部材（副網戸）で接続するように構成されていればよい。
また、本発明の建具が片引き形式の建具であれば、一枚の障子が障子収納部側に引き込まれて開放され、この開放状態において、障子の戸尻側の縦框と障子収納部側の縦枠とを防虫部材（副網戸）で接続するように構成されていればよい。この際、障子収納部としては、前記実施形態のように外壁２の室外側に形成されたものに限らず、框材とガラスパネルとを有して形成された固定障子から構成されていてもよい。
【００２７】
さらに、本発明の建具が四枚建ての両引分け形式の建具であれば、窓枠内部の両側に障子収納部を設け、室内側障子と室外側障子とからなる一対の障子を左右に一組で設けておき、右側の一対の障子が右側の障子収納部側に引き込まれて開放され、左側の一対の障子が左側の障子収納部側に引き込まれて開放され、この開放状態において、一組の各室外側障子の戸尻側の縦框と縦枠とを防虫部材（副網戸）で接続するように構成されていればよい。
また、本発明の建具が二枚建ての両引分け形式の建具であれば、窓枠内部の両側に障子収納部を設け、障子を左右に一組で設けておき、右側の障子が右側の障子収納部側に引き込まれて開放され、左側の障子が左側の障子収納部側に引き込まれて開放され、この開放状態において、各障子の戸尻側の縦框と縦枠とを防虫部材（副網戸）で接続するように構成されていればよい。
【００２８】
また、前記実施形態では、防虫部材を副網戸４０で構成し、この副網戸４０を窓枠１０における室内側網戸３０Ａと同一見込み位置に固定したが、防虫部材としては、このような構成に限定されない。
すなわち、防虫部材が窓枠（縦枠）と一体に形成されていてもよく、例えば、引違い窓等において、室外側障子の戸尻側縦框と対向する縦枠から見付け方向内方に突出して形成された突片を防虫部材とし、この突片が戸尻側縦框と当接あるいは摺接するように構成したものであってもよい。さらに、窓枠１０と別体で防虫部材を構成する場合にも、防虫部材を網戸３０と共通部材から構成せずに、金属製や樹脂製の板材などから防虫部材を形成してもよい。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３０】
【図１】本発明の実施形態に係る建具を示す縦断面図である。
【図２】前記建具の閉鎖状態を示す横断面図である。
【図３】前記建具の開放状態を示す横断面図である。
【図４】(Ａ)，(Ｂ)は、前記建具の途中を省略せずに図示した横断面図である。
【符号の説明】
【００３１】
２…外壁、３…開口部、１０…枠体である窓枠、１０Ａ…開口、１１…上枠、１２…下枠、１３，１４…縦枠、１７…障子収納部、２０…障子、２０Ａ…室内側障子、２０Ｂ…室外側障子、２１…上框、２２…下框、２３…縦框、２３Ｂ…戸尻側端縁（戸尻側の縦框）である第２縦框、３０…網戸、４０…防虫部材である副網戸、３１，４１…上框、３２，４２…下框、３３，４３…縦框、３４，４４…ネット（網）。
【図１】
2008013978.tif 000003
【図２】
2008013978.tif 000004
【図３】
2008013978.tif 000005
【図４】
2008013978.tif 000006